(57)【特許請求の範囲】
【請求項１】
複数個の係着部を所定間隔毎に縦方向に有する支持基板と、前記複数の係着部のいずれかに着脱自在に係止する係止部を備え、前面には小便が通過する開口部を有する貯留容器とから構成し、前記貯留容器の下部には該貯留容器内の尿を外部に排出する排出部が設けられており、
前記排出部は、前記貯留容器に設けた排出口と、前記排出口を着脱可能に封止するキャップと、前記キャップに装着した可撓性排出ホースとから構成され、
前記可撓性排出ホースの先端部には掛け具が取り付けられ、また前記支持基板の上部又は前記貯留容器の上部には、前記可撓性排出ホースの前記掛け具を着脱自在に係止する掛け止め部が設けられていることを特徴とする小便用簡易トイレ。
【請求項２】
前記掛け具の長手方向中央部には切欠き部を有する凸部が設けられ、また前記凸部の両側部にはそれぞれ貫通孔が設けられ、前記可撓性排出ホースの先端部は、一方の前記貫通孔を通り、更に前記切欠き部を通って他方の前記貫通孔を通って延びており、
前記凸部の内側が便器本体の上端部に係止されると、前記可撓性排出ホースの先端部が前記便器本体内に位置されることを特徴とする請求項１に記載の小便用簡易トイレ。
【発明の詳細な説明】
【０００１】
【発明の属する技術分野】
本発明は、男児がひとりで小便の用を足すのに適した小便用簡易トイレに関する。
【０００２】
【従来の技術】
近年、西洋式の便器、即ち「こしかけ便器」が急激に普及しているが、立ち歩きができる年齢から小学校入学位の男児、例えば１才から５才位までの男児が、このような便器を使用しようとすると、保護者の介護、或いは踏み台等が必要となり、男児がひとりで使用することが難しく、また自分で使用しようとするとお漏らししたりすることがある。
【０００３】
一方、最近では車を使用して家族でキャンプを楽しくアウトドア派が増加している。オートキャンプ場は整備されつつあるが、自動車ゆえにあまり整備されていない辺ぴなところへ行くことがある。そのような場所では便所も整っていない。仮に整備された場所でのキャンプも、テントから便所まではかなりの距離があり、またその便所も子供の使用に適したものではない。
【０００４】
本発明はこのようなときに使用する小便用簡易トイレに関する。従来、簡易トイレとしては特開平８−２５６９４３号公報、特開平１１−３２４０８０号公報および特開平１１−１４０９４９号公報等に開示されたものが存在する。特開平８−２５６９４３号公報に開示されたものは災害時に大便器とは別に小便器を簡単に組み立てられるようにした簡易トイレに関するものである。特開平１１−３２４０８０号公報に開示されたものは、洋式又は和式便器とは別に小便器を放尿元まで移動できるようにした手で持つ小便器に関するものである。また、特開平１１−１４０９４９号に開示されたものは、小便器の下部に軸支点を設け、この軸支点を中心に小便器自身を揺動自在にして放尿口の高さを利用者に応じて調整する収納式便器に関するものである。
【０００５】
【発明が解決しようとする課題】
これらの公知の簡易トイレは、いずれも、幼い男児の小便用には適しておらず、またアウトドア時に簡単に用いることができるものではない。
【０００６】
本発明の目的は、幼い男児が保護者の介添えなしに小便することができる小便用簡易トイレを提供するものである。
【０００７】
【課題を解決するための手段】
本発明の小便用簡易トイレは、複数個の係着部を所定間隔毎に縦方向に有する支持基板と、前記複数の係着部のいずれかに着脱自在に係止する係止部を備え、前面には小便が通過する開口部を有する貯留容器とから構成し、前記貯留容器の下部には該貯留容器内の尿を外部に排出する排出部が設けられており、
前記排出部は、前記貯留容器に設けた排出口と、前記排出口を着脱可能に封止するキャップと、前記キャップに装着した可撓性排出ホースとから構成され、
前記可撓性排出ホースの先端部には掛け具が取り付けられ、また前記支持基板の上部又は前記貯留容器の上部には、前記可撓性排出ホースの前記掛け具を着脱自在に係止する掛け止め部が設けられていることを特徴とする。
【０００８】
本発明に従えば、支持基板は便所等の柱や壁面に吊り金具等を用いて設置される。そして、利用する人、例えば幼い男児等の背の高さに合致した位置に貯留容器が位置するように、貯留容器の係止部が複数の係着部のいずれかに係着される。小便がしたくなったら、設置された簡易トイレに行き、貯留容器の開口部に向けて小便をする。そして、貯留容器の係着位置が低い場合においても、貯留容器内に溜まった尿は、支持基板から外して持ち上げることによって排出することができる。また、貯留容器にキャップを介して可撓性排出ホ−スが装着されているので、この可撓性排出ホースを通して、貯留容器に溜まった尿の排出を簡単に行うことができる。例えば、この小便用簡易トイレを便所に設置する場合、排出部から延びる可撓性排出ホースの先端部が便器内に位置するように取り付けられ、このように構成することによって、貯留容器内に溜まった尿を便器内に簡単に排出することができる。また、可撓性排出ホースを支持基板の掛け止め部に掛けることによって、この可撓性排出ホースを所要の通りに保持することができる。また、掛け止め部が支持基板の上部又は貯留容器の上部に設けられているので、この掛け止め部に掛けた状態では、可撓性排出ホースの先端が常時貯留容器の開口部より上方に位置するようになり、従って、貯留容器内の尿は排出ホースから流出することはない。
【０００９】
また本発明では、前記掛け具の長手方向中央部には切欠き部を有する凸部が設けられ、また前記凸部の両側部にはそれぞれ貫通孔が設けられ、前記可撓性排出ホースの先端部は、一方の前記貫通孔を通り、更に前記切欠き部を通って他方の前記貫通孔を通って延びており、
前記凸部の内側が便器本体の上端部に係止されると、前記可撓性排出ホースの先端部が前記便器本体内に位置されることを特徴とする。
【００１０】
本発明に従えば、掛け具の凸部の内側を便所の西洋便器の便器本体の上端部に係止させることができ、このように係止させることによって、可撓性排出ホースの先端は便器本体内に位置し、この可撓性排出ホースからの尿を便器本体内に流すことができる。また、凸部の切欠き部に可撓性排出ホースが通っているので、可撓性排出ホースの湾曲した先端部の高さが低くなるように構成され、これにより掛け具を便器本体に係止した状態で便座を閉じることができる。
【００１５】
【発明の実施の形態】
以下、添付図面を参照して、本発明に従う小便用簡易トイレの一実施形態について説明する。図１は本発明に従う小便用簡易トイレの分解斜視図であり、図２は図１の小便用簡易トイレの組み立てられた状態を示す縦断面図であり、図３は図２の小便用簡易トイレの正面図である。
【００１６】
図１〜図３において、図示の小便用簡易トイレＡは、所定間隔毎に係着部１Ａ，１Ｂ…１Ｇを複数個縦方向（長手方向）に形成した支持基板２と、複数の係着部１Ａ，１Ｂ…１Ｇのいずれかに着脱自在に係止する貯留容器３とから構成されている。貯留容器３は容器本体３ｃを備え、この容器本体３ｃの前面のやや上方には小便が通過する開口部３ａが開設されている。また貯留容器３の下部には該貯留容器３内の尿を外部に排出する排出部４が設けられている。
【００１７】
さらに貯留容器３の容器本体３ｃの上部後面部分に、係着部１Ａ，１Ｂ…１Ｇのいずれかに係着する係止部が設けられ、係止部が逆Ｕ字状金具５から構成されている。容器本体３ｃの上面には貯留容器３の持ち運び用の取手６が、またその裏面には貯留容器３を支持基板２に取り付けたときに貯留容器３の下部が前方に傾くように当接部材１２が接着剤又はネジ止め等で夫々取り付けられている。
【００１８】
排出部４は容器本体３ｃに設けた排出口４ａと、排出口４ａを着脱可能に封止するキャップ４ｂと、キャップ４ｂに装着した可撓性排出ホース４ｃとから構成されている。可撓性排出ホース４ｃは、ナイロンや塩化ビニールの透明又は半透明ホースからなり、たとえば１〜２メートルの長さを有し、その先端部分に掛け具７が取り付けられている。この掛け具７の長手方向中央部には凸部７ａが設けられ、またこの凸部７ａの両側部に貫通孔が設けられており、可撓性排出ホース４ｃの先端部は一方の貫通孔を通り、凸部７ａの上側を通って他方の貫通孔を通っており、このようにして掛け具７に保持されている。この掛け具７の先端側には掛け孔７ｂ（図１参照）が設けられ、掛け具７の掛け孔７ｂは支持基板２の上部に設けた掛け止め部となる止め金具８に着脱自在に係止される。この掛け具７は、図２に示すように、その凸部７ａの内側を便所の西洋便器７２の便器本体７４の上端部に係止させることができ、このように係止させることによって、可撓性排出ホース４ｃの先端は便器本体７４内に位置し、このホース４ｃからの尿を便器本体７４内に流すことができる。尚、この掛け具７を便器本体７４に係止した状態で便座７６を閉じることができるように、凸部７ａの一部が切り欠かれ、この切り欠いた部分に可撓性排出ホース４ｃを通し、このようにしてホース４ｃの湾曲した先端部の高さが低くなるように構成されている。また可撓性排出ホース４ｃの基部開口は、図２に示すようにキャップ４ｂの内側に開口しており、容器本体３ｃ内の尿をこの可撓性排出ホース４ｃを通して外部に排出できるようにしたものである。
【００１９】
支持基板２は木材板、合成樹脂板または金属板を単独で用いて構成したり、又は前記した材料の異なる板を張り合わせて構成される。支持基板２の適宜な位置には必要に応じて、可撓性排出ホース４ｃの途中の部分を保持するホース保持金具９が取り付けられている。このホース保持金具９はバネ性を有する薄板で形成され、先端部分に可撓性排出ホース４ｃを保持する透孔又はＵ字状溝９ａが設けられている。
【００２０】
複数の係着部１Ａ，１Ｂ…１Ｇは実質上等間隔に縦方向（長手方向）に形成され、その大きさは逆Ｕ字金具５が着脱自在に係着できる大きさに形成すればよく、図に示すような矩形状または円形や楕円形状に穿設することができる。そして適宜の係着部１Ａ，１Ｂ…１Ｇに近接して、図示のように動物の名前、或いは動物の絵、植物の名前（又は絵）又は利用する人間の名前等を記載した表示部１０を設けておく。たとえば、係着部１Ｂの部分には「きりんさん」、係着部１Ｄの部分には「ぞうさん」、係着部１Ｆの部分には「くまさん」というように動物の名前等をあらかじめ記しておくことにより、この記された部分の係着部に貯留容器３を係着すれば、貯留容器３が利用する人間、例えば男児の最適な高さに配置できる。尚、例えば、表示部１０の「きりんさん」に代えて「お父さん」、「ぞうさん」に代えて「お兄さん」、また「くまさん」に代えて「ぼく」等と表示するようにしてもよい。
【００２１】
また貯留容器３の開口部３ａに対向する貯留容器後面に放尿放射点を指示する指示部１１を設けている。この指示部１１は、例えば動物、植物、キャラクターのシール、マスコットなどでよく、あるいは、例えば直径２〜３ｃｍの大きさの円形、または矩形状の赤色等のテープ等でもよい。したがって、図２の二点鎖線Ｋで示すように、小便時にこの指示部１１をめがけて放尿すれば、貯留容器３内に確実に放尿できる。さらに開口部３ａの下辺には尿の滴を受ける尿受片３ｂが設けられている。
【００２２】
容器本体３ｃは、図１〜図３から理解されるように、２リットルの飲料用ペットボトル位の大きさで、例えばこのようなペットボトルを利用してもよく、或いは樹脂成形で専用のものを形成するようにしてもよく、容器本体３ｃに開口部３ａを形成するとともに、キャップ４ｂを加工し、取手６、当接部材１２および係止部となる逆Ｕ字状金具５を取り付ければ貯留容器３が出来上がる。小便は１回につき男児５０ＣＣ〜１００ＣＣ排出するので、貯留できる容量を約１０００ＣＣぐらいになるように開口部３ａを設けておけば、約１０回分ぐらいの尿を一度に貯めておくことができる。
【００２３】
次に、図示の小便用簡易トイレの使用状態を説明する。図３では表示部１０の「ぞうさん」の高さ、例えばお兄ちゃんが使用して最適な高さに貯留容器３が取り付けられるように、逆Ｕ字状金具５を１Ｄの係着部に係着する。支持基板２は便所の柱や壁面にあらかじめ取り付けており、このような位置に係着することによって、男児が使える高さに貯留容器３が取り付けられ、親の介護なしに小便の用を足すことができる。尚、お兄ちゃん以外の人間、例えばぼくが使用する場合、貯留容器３を係着部１Ｂから外し、例えば「くまさん」と表示された係着部１Ｆに係着して貯留容器３をぼくに最適な高さにすればよい。
【００２４】
貯留容器３内の尿を排出するには、取手６を掴んで貯留容器３を支持基板２から取り外し、また掛け具７を止め金具８から外し、排出ホース４ｃの先端から尿が溢れ出ないようにホース先端部を貯留容器３より上方に保持した状態で、便器７２内に排出ホース４ｃの先端から貯留容器３内の尿を排出する。この排出時、図２に示すように、掛け具７の凸部７ａを便器本体７４の上端部に係止することによって、尿の排出を容易に行うことができる。尿を排出した後は、再び貯留容器３を支持基板２にセットするとともに、掛け具７を止め金具８に係止すればよい。
【００２５】
以上、本発明に従う小便用簡易トイレの一実施形態について説明したが、本発明はかかる実施形態に限定されるものではなく、本発明の範囲を逸脱することなく種々の変形乃至修正が可能である。
【００２６】
例えば、図示の実施形態では、掛け具７を支持基板２の上端部に係止するようにしているが、このような構成に代えて、容器本体３ｃの上端部に例えば止め金具８を設け、この止め金具８に掛け具７を係止するようにしてもよい。
【００２７】
【発明の効果】
本発明の請求項１の小便用簡易トイレによれば、貯留容器を利用する人間、例えば幼い男児の背の高さに簡単に合わせることができるので、親の介護を必要とすることなく用を足すことができ、また貯留容器外への放尿を未然に防ぐことができる。また、貯留容器に溜まった尿を可撓性排出ホースから簡単に排出できる。また、可撓性排出ホースの排出先端部を支持基板の上部又は貯留容器の上部に係着しているので、可撓性排出ホースの先端が常時貯留容器の開口部より上方に位置し、貯留容器内の尿が可撓性排出ホースから流出することはない。
【００２８】
また本発明の請求項２の小便用簡易トイレによれば、掛け具には凸部が設けられているので、掛け具の凸部の内側を便所の西洋便器の便器本体の上端部に係止させることによって、可撓性排出ホースの先端は便器本体内に位置し、この可撓性排出ホースからの尿を便器本体内に流すことができる。また、凸部の切欠き部に可撓性排出ホースが通っているので、可撓性排出ホースの湾曲した先端部の高さが低くなるように構成され、これにより掛け具を便器本体に係止した状態で便座を閉じることができる。
【図面の簡単な説明】
【図１】本発明に従う小便用簡易トイレの一実施形態を示す分解斜視図である。
【図２】図１の小便用簡易トイレの組み立てた状態を示す断面図である。
【図３】図２の小便用簡易トイレの正面図である。
【符号の説明】
Ａ    小便用簡易トイレ
１Ａ，１Ｂ…１Ｆ  係着部
２    支持基板
３    貯留容器
３ａ  開口部
３ｃ  容器本体
４    排出部
４ｃ  可撓性排出ホース
５    係止部（逆Ｕ字状金具）
６    取手
７    掛け具
１０  表示部
１１  指示部
７２  便器
【図１】
0003847643.tif 000002
【図２】
0003847643.tif 000003
【図３】
0003847643.tif 000004